(57)【特許請求の範囲】
【請求項１】
壁躯体（１０）と、この壁躯体（１０）を挟むようにして張り付けた外壁パネル（１１）（１２）と、前記壁躯体（１０）の下端部及び外壁パネル（１１）（１２）の下端部を覆う見切材（１３）とを備え、前記外壁パネル（１１）（１２）の下端面とその直下に位置する前記見切材（１３）の側端部（３１）（３１）上面との間の間隙部（４０）（４０）にシール材（４１）（４１）を充填するとともに、前記外壁パネル（１１）（１２）表面、見切材（１３）表面及びシール材（４１）（４１）表面に亘って吹付塗装（４３）を施してなる垂れ壁（１）において、前記間隙部（４０）（４０）の要所要所に、通気用開口（４２）・・となるシール材非充填箇所を設けて、前記垂れ壁（１）内に設けた通気路（２１）（２２）を、前記通気用開口（４２）・・を介して外気に連通させるようにしたことを特徴とする建物外壁部における垂れ壁の通気構造。
【請求項２】
前記外壁パネル（１１）（１２）のうち屋内側に位置する外壁パネル（１２）の下端面とその直下に位置する前記見切材（１３）の側端部（３１）上面との間の間隙部（４０）に、前記通気用開口（４２）・・となるシール材非充填箇所を設けた請求項１記載の建物外壁部における垂れ壁の通気構造。
【請求項３】
前記見切材（１３）の側端部（３１）上面に、前記間隙部（４０）に突出する複数の立ち上がり片（３５）・・を立設して、これら立ち上がり片（３５）（３５）間の隙間を、前記通気用開口（４２）・・となるシール材非充填箇所とした請求項１又は２記載の建物外壁部における垂れ壁の通気構造。
【請求項４】
前記立ち上がり片（３５）・・を、前記外壁パネル（１２）の下端面に当接させて、前記間隙部（４０）（４０）を確保するためのスペーサとした請求項３記載の建物外壁部における垂れ壁の通気構造。
【請求項５】
前記見切材（１３）の側端部（３１）（３１）を、前記外壁パネル（１１）（１２）の表面よりも側方へ張り出させるようにした請求項１乃至４のいずれかに記載の建物外壁部における垂れ壁の通気構造。
【請求項６】
前記通気路（２１）（２２）は、前記壁躯体（１０）内に設けた躯体内通気路（２１）と、前記壁躯体（１０）と外壁パネル（１１）（１２）との間に設けた外壁裏面通気路（２２）（２２）とからなる請求項１乃至５のいずれかに記載の建物外壁部における垂れ壁の通気構造。
【請求項７】
前記垂れ壁（１）は、その下端部分がアーチ状に湾曲して形成されている請求項１乃至６のいずれかに記載の建物外壁部における垂れ壁の通気構造。
【発明の詳細な説明】
【技術分野】
【０００１】
この発明は、主として木造住宅の外壁部における垂れ壁の通気構造に関する。
【背景技術】
【０００２】
一般に、木造住宅の外壁部では、壁体内での結露の発生を抑制するために、外気に連通する通気路を壁体内に設けて、壁体内の湿気を外部へ排出させるようにしている。
【０００３】
玄関ポーチ等の開口部上方部分、オーバーハング部分やバルコニー腰壁部分等に施工される垂れ壁においても同様に、結露対策として壁体内に通気路が設けられていることが多く、この通気路を外気に連通させるために、例えば壁体の下端部を覆う見切材等に通気用開口を形成した構造のものが見受けられる（例えば、特許文献１〜３参照）。
【先行技術文献】
【特許文献】
【０００４】
【特許文献１】特開２００６−２８３３８６号公報
【特許文献２】特開２００２−２０１７２５号公報
【特許文献３】特開２００１−９０２１９号公報
【発明の概要】
【発明が解決しようとする課題】
【０００５】
しかしながら、上記のような垂れ壁においては、下方から見上げたときに、見切材等に形成した通気用開口が目立ってしまって、見栄えを損なうといった不具合があった。また、壁体と見切材との間に生じる間隙部をシール材で埋めて、これら表面全体に亘って吹付塗装を施すことで、壁体と見切材とを外観上見境なく一体化させて、意匠性を高めるようにした垂れ壁が提案されているが、特にこのような垂れ壁においては、通気用開口が目立つことになると、見栄えを著しく損なってしまうといった不具合があった。
【０００６】
この発明は、上記の不具合を解消して、垂れ壁内における通気性を良好に確保しながらも、通気用開口を目立ち難くして、垂れ壁の見栄えを良好に維持することができる建物外壁部における垂れ壁の通気構造の提供を目的とする。
【課題を解決するための手段】
【０００７】
上記課題を解決するため、この発明の建物外壁部における垂れ壁の通気構造は、壁躯体１０と、この壁躯体１０を挟むようにして張り付けた外壁パネル１１、１２と、前記壁躯体１０の下端部及び外壁パネル１１、１２の下端部を覆う見切材１３とを備え、前記外壁パネル１１、１２の下端面とその直下に位置する前記見切材１３の側端部３１、３１の上面との間の間隙部４０、４０にシール材４１、４１を充填するとともに、前記外壁パネル１１、１２の表面、見切材１３の表面及びシール材４１、４１の表面に亘って吹付塗装４３を施してなる垂れ壁１において、前記間隙部４０、４０の要所要所に、通気用開口４２・・となるシール材非充填箇所を設けて、前記垂れ壁１内に設けた通気路２１、２２を、前記通気用開口４２・・を介して外気に連通させるようにしたことを特徴とする。
【０００８】
具体的には、前記外壁パネル１１、１２のうち屋内側に位置する外壁パネル１２の下端面とその直下に位置する前記見切材１３の側端部３１の上面との間の間隙部４０に、前記通気用開口４２・・となるシール材非充填箇所を設けている。また、前記見切材１３の側端部３１上面に、前記間隙部４０に突出する複数の立ち上がり片３５・・を立設して、これら立ち上がり片３５、３５間の隙間を、前記通気用開口４２・・となるシール材非充填箇所としている。さらに、前記立ち上がり片３５・・を、前記外壁パネル１２の下端面に当接させて、前記間隙部４０、４０を確保するためのスペーサとしている。また、前記見切材１３の側端部３１、３１を、前記外壁パネル１１、１２の表面よりも側方へ張り出させるようにしている。さらに、前記通気路２１、２２は、前記壁躯体１０内に設けた躯体内通気路２１と、前記壁躯体１０と外壁パネル１１、１２との間に設けた外壁裏面通気路２２、２２とからなる。さらにまた、前記垂れ壁１は、その下端部分がアーチ状に湾曲して形成されている。
【発明の効果】
【０００９】
この発明においては、垂れ壁内に設けた通気路が通気用開口を介して外気に連通されていて、垂れ壁内の通気性を良好に確保することができ、垂れ壁内部での結露の発生を抑制して、垂れ壁の耐久性の向上を図ることができる。しかも、通気用開口は、外壁パネルの下端面と見切材の側端部上面との間の間隙部において断続的に形成されており、垂れ壁を下方から見上げたときに、目立ち難くなっていることから、吹付塗装を施して意匠性を高めた垂れ壁の見栄えを良好に維持することができる。特に、屋内側に位置する外壁パネルの下端面と見切材の側端部上面との間の間隙部において通気用開口を形成することで、垂れ壁を屋外側から見たときに通気用開口が見えなくなって、垂れ壁の見栄えをより一層良好に維持することができ、さらに通気用開口からの雨水の侵入等も防止することができる。
【００１０】
また、見切材の複数の立ち上がり片によって間隙部を区切って、シール材非充填箇所とした立ち上がり片間の隙間において通気用開口を形成しているので、例えば間隙部にシール材を単に断続的に充填して通気用開口を形成する場合と比べて、通気用開口をきっちりと確保することができる。
【００１１】
さらに、見切材の複数の立ち上がり片を、外壁パネルの下端面に当接させて、間隙部を確保するためのスペーサとすることで、見切材を精度良く取り付けて、間隙部をその長さ方向全長に亘って均一に確保することができ、通気用開口をバラツキなく安定して確保することができる。
【００１２】
さらにまた、見切材の側端部を、外壁パネルの表面よりも側方へ張り出させることで、垂れ壁を下方から見上げたときに、張り出した見切材の側端部によって視線が遮られて、通気用開口を見え難くすることができ、垂れ壁の見栄えをより一層良好に維持することができる。
【００１３】
また、垂れ壁内に躯体内通気路及び外壁裏面通気路を設けて、これら通気路を通気用開口を介して外気に連通させることで、垂れ壁内の通気をより効果的に行わせることができる。
【図面の簡単な説明】
【００１４】
【図１】この発明の一実施形態に係る木造住宅の外壁部における垂れ壁の正面図である。
【図２】垂れ壁の一部破断正面図である。
【図３】垂れ壁のシール材充填箇所の縦断面図である。
【図４】垂れ壁のシール材非充填箇所の縦断面図である。
【図５】見切材の斜視図である。
【図６】見切材の要部斜視図である。
【発明を実施するための形態】
【００１５】
以下、この発明の実施形態を図面に基づいて詳細に説明する。この発明の一実施形態に係る木造住宅の外壁部における垂れ壁１は、図１に示すように、その下端部分がアーチ状に湾曲して形成されていて、玄関ポーチ２の上方に配されている。
【００１６】
この垂れ壁１は、図２乃至図４に示すように、壁躯体１０と、この壁躯体１０を挟むようにして壁躯体１０の屋外側及び屋内側（玄関ポーチ２に面する側）の表面に張り付けた外壁パネル１１、１２と、これら壁躯体１０、外壁パネル１１、１２の下端部を覆う見切材（回り縁）１３とを備えている。なお、図３及び図４において、１４は、玄関ポーチ２における軒裏天井部材である。
【００１７】
壁躯体１０は、例えば柱材や横架材を組み付けてなる木製の下地フレーム１５を挟み込むようにして、合板１６、１６を張り付けることによって構成されている。外壁パネル１１、１２は、例えばサイディング材からなり、縦胴縁等を介して壁躯体１０に取り付けられている。なお、外壁パネル１１、１２の下端部は、上向きに湾曲して形成されている。
【００１８】
そして、壁躯体１０内には、下地フレーム１５の要所要所にスリット２０・・を形成することによって、躯体内通気路２１が形成されている。また、外壁パネル１１、１２と壁躯体１０の合板１６、１６との間には、外壁裏面通気路２２、２２が形成されている。
【００１９】
見切材１３は、例えばアルミニウム製の長尺材であって、外壁パネル１１、１２の下端部に沿うように、上向きに湾曲して形成されている。この見切材１３は、図５及び図６に示すように、湾曲帯板状の本体部３０と、この本体部３０の長手方向に沿った両端部分をコ字状に折曲してなる一対の側端部３１、３１とからなる。
【００２０】
側端部３１、３１は、本体部３０から外向きに延出した下片３２と、この下片３２の側端から上向きに延出した垂直片３３と、この垂直片３３の上端から内向きに延出した上片３４とを備えている。
【００２１】
側端部３１、３１のうち屋外側の側端部３１の上面（上片３４の上面）には、その長手方向の全長に亘って発泡樹脂製のシール用バックアップ材３６が取り付けられている。また、屋内側（玄関ポーチ２に面する側）の側端部３１の上面（上片３４の上面）には、複数の立ち上がり片３５・・が長手方向に適宜間隔をあけて立設されている。これら立ち上がり片３５・・は、上片３４の幅方向に沿って、上片３４よりも内方へ張り出すようにして配されている。そして、屋内側（玄関ポーチ２に面する側）の側端部３１の上面（上片３４の上面）においては、離間して配置された立ち上がり片３５、３５間の隙間においてバックアップ材３６が取り付けられ、近接して配置された立ち上がり片３５、３５間の隙間にはバックアップ材３６を取り付けないようにしている。さらに、双方の側端部３１、３１の上片３４、３４には、複数のＬ字状の取付金具３７・・が長手方向に適宜間隔をあけて取り付けられている。
【００２２】
そして、上記のようにして構成された見切材１３は、図２乃至図４に示すように、取付金具３７・・を壁躯体１０の合板１６、１６の下端部にビスや釘等の固定具によって止め付けることで、壁躯体１０、外壁パネル１１、１２の下端部を覆うようにして取り付けられている。
【００２３】
この見切材１３の取付状態において、屋外側に位置する側端部３１が、屋外側に位置する外壁パネル１１の表面よりも側方（屋外方向）へ張り出すようにして、外壁パネル１１の下端面の直下に位置しており、また屋内側（玄関ポーチ２に面する側）に位置する側端部３１が、屋内側（玄関ポーチ２に面する側）に位置する外壁パネル１２の表面よりも側方（屋内方向）へ張り出すようにして、外壁パネル１２の下端面の直下に位置している。
【００２４】
また、外壁パネル１１の下端面と側端部３１の上面（上片３４の上面）との間、外壁パネル１２の下端面と側端部３１の上面（上片３４の上面）との間には、間隙部４０、４０がそれぞれ形成されている。屋内側（玄関ポーチ２に面する側）に位置する間隙部４０においては、見切材１３の立ち上がり片３５・・が間隙部４０を区切るように突出して、外壁パネル１２の下端面に当接されている。このように、立ち上がり片３５・・をスペーサとして介在させることで、間隙部４０、４０をその長さ方向全長に亘って均一に確保している。さらに、間隙部４０、４０には、バックアップ材３６、３６が充填された状態となっている。
【００２５】
そして、屋外側に位置する間隙部４０には、その長さ方向の全長に亘ってシール材４１が充填されており、屋内側（玄関ポーチ２に面する側）に位置する間隙部４０には、バックアップ材３６が存在する離間配置された立ち上がり片３５、３５間の隙間においてシール材４１が充填され、バックアップ材３６が存在しない近接配置された立ち上がり片３５、３５間の隙間にはシール材４１が充填されていない。すなわち、屋内側（玄関ポーチ２に面する側）に位置する間隙部４０においては、その要所要所に小幅のシール材非充填箇所が設けられ、それらシール材非充填箇所が通気用開口４２・・とされている。これにより、垂れ壁１内に設けた躯体内通気路２１及び外壁裏面通気路２２、２２が、通気用開口４２・・を介して外気に連通されている。
【００２６】
さらに、外壁パネル１１の表面、外壁パネル１２における軒裏天井部材１４よりも下方へ張り出した下端部表面、見切材１３の表面及びシール材４１、４１の表面、すなわち、垂れ壁１の屋外に露出している表面全体に亘って、吹付塗装４３が施されている。これにより、見切材１３やシール材４１、４１が覆い隠されて、垂れ壁１全体が一様の外観を呈するようになり、意匠性が高められている。
【００２７】
上記構成の垂れ壁１においては、その内部に設けた躯体内通気路２１及び外壁裏面通気路２２、２２が、通気用開口４２・・を介して外気に連通されていて、通気性を良好に確保することができ、結露の発生を抑制して耐久性の向上を図ることができる。
【００２８】
しかも、通気用開口４２・・は、屋内側（玄関ポーチ２に面する側）に位置する外壁パネル１２の下端面とその直下に位置する見切材１３の側端部３１の上面との間の間隙部４０において形成されており、その上、見切材１３の側端部３１が、外壁パネル１２の表面よりも側方（屋内方向）へ張り出していることから、垂れ壁１を下方から見上げたときに、通気用開口４２・・が目立たなくなって、見栄えを良好に維持することができる。
【００２９】
以上に、この発明の実施形態について説明したが、この発明は、上記実施形態に限定されるものではなく、この発明の範囲内で種々変更して実施することが可能である。例えば、この発明の通気構造を備えた垂れ壁は、木造住宅の外壁部における垂れ壁だけに限らず、例えば鉄骨住宅の外壁部における垂れ壁であっても良い。また、玄関ポーチ等の開口部上方部分に施工する垂れ壁だけに限らず、オーバーハング部分やバルコニー腰壁部分に施工する垂れ壁であっても良い。さらに、下端部分をアーチ状に湾曲して形成した垂れ壁に限らず、下端部分を水平に形成した垂れ壁であっても良い。
【符号の説明】
【００３０】
１・・垂れ壁、１０・・壁躯体、１１、１２・・外壁パネル、１３・・見切材、２１・・躯体内通気路、２２・・外壁裏面通気路、３１・・側端部、３５・・立ち上がり片、４０・・間隙部、４１・・シール材、４２・・通気用開口、４３・・吹付塗装
【図１】
0005333465.tif 000002
【図２】
0005333465.tif 000003
【図３】
0005333465.tif 000004
【図４】
0005333465.tif 000005
【図５】
0005333465.tif 000006
【図６】
0005333465.tif 000007